【事件の表示】
　平成　５年特許願第１６９０６３号「デジタル信号記録再生装置」拒絶査定に対する審判事件［平成　７年　１月３１日出願公開、特開平　７−　２９３５６］について、次のとおり審決する。
【結　論】
　本件審判の請求は、成り立たない。
【理　由】
１．出願の経緯、本願発明
　本願は、平成５年７月８日の出願であって、その請求項１に係る発明は、平成１２年４月１９日付け及び平成１３年３月８日付け手続補正で補正された明細書及び図面の記載からみて、
「情報データを書き換えできる記録媒体に設定された記録単位であるアドレスに対し、関連する情報データの集まりであるデータセットが順次デジタル記録・再生され、上記データセットの記録されたアドレスの番号を示すリスト情報が記録媒体の所定領域に記録・再生されるデジタル信号記録再生装置において、
　上記リスト情報は、記録媒体における未記録領域のアドレスの番号を記録可能アドレスとして示す未記録領域情報を含み、
　記録されたデータセットの新たなデータセットへの書き換えを指示する一方、書き換えするデータセットを指定するための入力手段が設けられ、
　上記記録媒体への記録・再生を制御する制御手段が、記録されたデータセットを新たなデータセットに書き換える際、上記入力手段からの信号およびリスト情報に基づいて上記記録媒体におけるアドレスから記録可能アドレスを判別することにより、新たなデータセットを上記記録可能アドレスに指定された書き換えするデータセットから記録するように設けられていることを特徴とするデジタル信号記録再生装置。」
にあるものと認める。
　なお、請求項１には「準時」と記載されているが、発明の詳細な説明第１０段落には「関連する情報データの集まりであるデータセットが順次デジタル記録・再生され」と記載されていることから、上記「準時」は「順次」の誤記と認め、本願の請求項１に係る発明（以下、「本願発明」という）を上記のように認定した。
　また、平成１３年４月３日付けの手続補正は却下された。
　
２．引用例
　これに対して、原査定の拒絶の理由に引用された、特開平５−１０１５４３号公報（平成５年４月２３日出願公開、以下「引用例」という）には、以下の記載がある。
「【０００５】本発明は、このような課題を解決するためになされたものであり、未記録領域と、記録済み領域のうちの不要な領域を利用して情報を記録再生しうる書換え可能な光ディスクの記録再生方法及び光ディスク記録再生装置を提供することを目的とする。」
「【００１３】２０はデータの記録時と再生時に装置全体を制御するシステムコントローラ、２１はデータの記録・再生の操作が入力される操作部であり、記録キー（REC ）、再生キー（PLAY）、探索キー（SEARCH）、停止キー（STOP）が設けられている。２２はデータの記録・再生時の各種表示を行う表示部である。」
「【００１４】上記構成において、光磁気ディスクＤＫへ記録される情報の信号フォーマットは、ＣＤへの信号フォーマットと同じである。したがって、記録されるデータはフレーム単位に区切られ、そのフレーム毎に記録データに関する各種情報および制御情報のサブコーディングが行われる。そのサブコーディングにより記録されるサブコードは、複数の連続したフレーム単位にブロック化されて情報が形成されるようにされる。また、光磁気ディスクＤＫの最内周には、記録されたデータに関する情報（以下、ＴＯＣ：Table of Contents という）を記録するエリアが配され、データの記録エリア（トラック）やデータ長（時間）等の各種情報がそれぞれのデータの記録時に同時に記録される。」
「【００１５】上記記録情報に対して、光磁気ディスクＤＫの再生時には、システムコントローラ２０は、ＴＯＣの内容を読み出して内部メモリであるＲＡＭに記憶しておき、表示およびアクセス制御等に利用する。また、システムコントローラ２０は光磁気ディスクＤＫに情報を記録するときには、サブコーディングの内容を生成して記録し、ＴＯＣの内容も更新する。次に、曲やデータ等の情報片の記録再生時におけるシステムコントローラ２０の制御について説明する。
【００１６】図２に本実施例の情報記録時における制御フローチャートを示す。まず、光磁気ディスクＤＫが装填されると（ステップＳ１）、ディスクの最内周のＴＯＣを読取り、ディスク内に記録されている情報片である曲やデータのトラック番号、及び各トラックの開始アドレス、終了アドレス等を読込み（Ｓ２）、このＴＯＣ情報を図１のシステムコントローラ２０内部の図示しないメモリに格納する（Ｓ３）。次に、記録する曲Ｘの時間（ＴＸ ）を操作部２１の図示しないキー入力部等により入力する（Ｓ４）。この入力は、ＣＤプレーヤ等の光ディスク再生装置からダビングする場合は、再生側の装置内のシステムコトローラからこの光磁気記録再生装置へデータとして転送するようにしてもよい。次にディスク内の情報未記録領域の時間（Ｔ０ ）をメモリに格納してあるＴＯＣ情報から読出してロードする（Ｓ５）。そして、記録する曲Ｘの時間長ＴＸ と情報未記録領域の時間長Ｔ０ とを比較し（Ｓ６）、ＴＸ ≦Ｔ０であれば、この曲Ｘはそのまま情報未記録領域内に記録可能であるから、記録キー（ＲＥＣ）が操作されていれば（Ｓ７）、ＴＯＣ情報に基づいて情報未記録領域をサーチし（Ｓ８）、通常の記録動作を行う（Ｓ９）。すなわち、システムコントローラ２０により各サーボ回路を介して光ピックアップ２ｂと磁気ヘッド２ａが制御され曲（データ）をディスクに記録するのである。その後、記録が終了すれば光ピックアップ２ｂと磁気ヘッド２ａは所定の待機位置に戻り停止する（Ｓ１０）。
【００１７】一方、ステップＳ６において、
ＴＸ ＞Ｔ０ 
であれば、このままでは曲Ｘは情報未記録領域にはその全部を記録することができないので、表示部２２により「記録不能」を表示する（Ｓ１１）。次に表示部２２を用いて、すでに記録された記録済み領域のうちの部分領域であるいずれかのトラックに上書きするか否かをユーザに打診する（Ｓ１２）。この場合、いずれのトラックにも上書きはできないと入力されれば、停止又は待機（PAUSE ）状態に戻る（Ｓ１３）。上書きしてもよいとして、いずれかのトラック（例えばトラック番号Ｙ）を指定してキー入力した場合（Ｓ１４）は、そのトラック番号Ｙのトラックの時間長（ＴＹ をメモリ内のＴＯＣ情報からロードする（Ｓ１５）。ここで、時間長ＴＸ とＴＹ との比較を行い（Ｓ１６）、
ＴＸ ≦ＴＹ 
であれば、曲Ｘは指定された部分領域であるトラック（Ｎｏ．Ｙ）にそのまま記録可能であるから、ＲＥＣキーが押されていることを確認した後（Ｓ１７）、トラック（Ｎｏ．Ｙ）をサーチして（Ｓ１８）、前述の通常記録動作（Ｓ９）を行い、終了後は停止する（Ｓ１０）。
【００１８】ステップＳ１６において、
ＴＸ＞ＴＹ 
の場合には、ステップＳ１９に移行し、（ＴＸ−ＴＹ）とＴ０とを比較する。
ＴＸ−ＴY ≦Ｔ０ 
であれば、曲Ｘはトラック（Ｎｏ．Ｙ）内には全部記録できないが、時間長ＴY の部分をトラック（Ｎｏ．Ｙ）に記録すれば残りの時間長（ＴＸ−ＴY ）の部分は情報未記録領域内に記録できることを意味する。この場合には、ＲＥＣキーが押されていれば（Ｓ２０）、曲Ｘのうち時間長ＴY の部分をトラック（Ｎｏ．Ｙ）をサーチして記録する（Ｓ２１）。次いで、曲Ｘのうち時間長（ＴＸ−ＴY ）の部分は情報未記録領域をサーチして記録する（Ｓ２２）。」
「【００２１】上述の記録時制御手順を概念的に示した図が図４である。図２のフローチャートにおいてはトラック（Ｎｏ．Ｙ）としたが、図４においては例としてトラック（Ｎｏ．２）としている。本実施例では、図４にように一つの曲をトラック（Ｎｏ．２（Ａ））とトラック（Ｎｏ．２（Ｂ））に割り振って記録することが可能である。」
「【００２３】また、図４の例の場合、図２のステップＳ２４において、ＴＯＣには、例えば
以下のような情報が書込まれる。
　　１　　００：００：００　　０３：００：１０
　　２　　０３：０２：１０　　１０：２０：３０
　　３　　１０：２２：３０　　１８：３０：４０
　　４　　１８：３２：４０　　２５：４０：５０
　　２　　２５：４２：５０　　３０：５０：６０
　上記のフォーマットにおいて、左欄はトラック番号を示している。中央欄は開始アドレス（情報記録領域の開始点を００：００：００とし、その部分までの経過時間を「分」：「秒」：「フレーム」で表現したものである。７５フレーム＝１秒である。）を示し、右欄は終了アドレスを示している。この場合、先のトラック２がＮｏ．２（Ａ）を示し、後のトラックがＮｏ．２（Ｂ）を示している。従って、割り振られて記録された場合には、同一のトラック番号で複数の時間アドレスのものが存在することになる。ただし、曲の再生順序は、時間アドレスの小さいものが先であり、ディスク内での順序と対応している。」
　
　これらの記載及び図面を参照すると、引用例には以下の発明が記載されていると認められる。
「情報を書き換え可能な光磁気ディスクに設定された記録単位であるフレームに対し、曲が順次記録・再生され、ディスク内に記録されている上記曲のトラック番号、及び各トラックの開始アドレス（分、秒、フレーム）、終了アドレス（分、秒、フレーム）等のＴＯＣ情報が上記ディスクの最内周に記録・再生される光ディスク記録再生装置において、
　上記ＴＯＣ情報に基づいて上記ディスクの情報未記録領域がサーチされ、
　すでに記録された記録済み領域のうちの部分領域であるいずれかのトラックを新たな曲Ｘで上書きしてもよいとして、上書きすべき曲のトラック番号を指定してキー入力される操作部が設けられ、
　上記ディスクへの記録・再生を制御するシステムコントローラは、ディスクのＴＯＣ情報を読み取って、ディスク内に記録されている上記曲のトラック番号、及び各トラックの開始アドレス（分、秒、フレーム）、終了アドレス（分、秒、フレーム）等をメモリに格納しており、上記操作部で指定された部分領域をサーチして、新たな曲Ｘのうちの上記部分領域の時間長ＴＹだけ上書きし、次に情報未記録領域をサーチして新たな曲の残りの時間長（ＴＸ−ＴY ）の部分を記録する、光ディスク記録再生装置。」
　
３．対比
　本願発明と引用例記載の発明とを対比する。
(1)引用例記載の発明の「情報を書き換え可能な光磁気ディスク」「フレーム」「曲」「各トラックの開始アドレス（分、秒、フレーム）、終了アドレス（分、秒、フレーム）」「ＴＯＣ情報」「上記ディスクの最内周」「光ディスク記録再生装置」が、本願発明の「情報データを書き換えできる記録媒体」「アドレス」「関連する情報データの集まりであるデータセット」「上記データセットの記録されたアドレスの番号」「リスト情報」「記録媒体の所定領域」「デジタル信号記録再生装置」に相当する。
(2)引用例記載の発明は、上記ＴＯＣ情報に基づいて上記ディスクの情報未記録領域がサーチされるから、上記ＴＯＣ情報は未記録領域情報を含んでいる。これが本願発明の「リスト情報」が「未記録領域情報を含み」に相当する。
(3)引用例記載の発明の「すでに記録された記録済み領域のうちの部分領域であるいずれかのトラック」「新たな曲Ｘ」「上書き」「上書きすべき曲のトラック番号を指定」「キー入力される操作部」が、本願発明の「記録されたデータセット」「新たなデータセット」「書き換え」「書き換えするデータセットを指定」「入力手段」に相当する。
(4)引用例記載の発明の「システムコントローラ」が、本願発明の「制御手段」に相当する。そして、引用例記載の発明のシステムコントローラは、ディスクのＴＯＣ情報を読み取って、ディスク内に記録されている上記曲のトラック番号、及び各トラックの開始アドレス（分、秒、フレーム）、終了アドレス（分、秒、フレーム）等をメモリに格納し、上記操作部で指定された部分領域及び情報未記録領域をサーチして新たな曲を記録しているから、上記部分領域を新たな曲で上書きする際に、上記操作部からの信号及び上記ＴＯＣ情報に基づいて、新たな曲が記録可能な領域をサーチしている。これが本願発明の「記録されたデータセットを新たなデータセットに書き換える際、上記入力手段からの信号およびリスト情報に基づいて上記記録媒体におけるアドレスから記録可能アドレスを判別する」に相当する。また、引用例記載の発明は、上記操作部で指定された部分領域をサーチして、新たな曲Ｘのうちの上記部分領域の時間長ＴＹだけ上書きし、次に情報未記録領域をサーチして新たな曲の残りの時間長（ＴＸ−ＴY ）の部分を記録しており、これが本願発明の「新たなデータセットを上記記録可能アドレスに指定された書き換えするデータセットから記録する」に相当する。
　
　したがって、本願発明と引用例記載の発明は、
「情報データを書き換えできる記録媒体に設定された記録単位であるアドレスに対し、関連する情報データの集まりであるデータセットが順次デジタル記録・再生され、上記データセットの記録されたアドレスの番号を示すリスト情報が記録媒体の所定領域に記録・再生されるデジタル信号記録再生装置において、
　上記リスト情報は、未記録領域情報を含み、
　記録されたデータセットの新たなデータセットへの書き換えを指示する一方、書き換えするデータセットを指定するための入力手段が設けられ、
　上記記録媒体への記録・再生を制御する制御手段が、記録されたデータセットを新たなデータセットに書き換える際、上記入力手段からの信号およびリスト情報に基づいて上記記録媒体におけるアドレスから記録可能アドレスを判別することにより、新たなデータセットを上記記録可能アドレスに指定された書き換えするデータセットから記録するように設けられていることを特徴とするデジタル信号記録再生装置。」
である点で一致し、以下の点で相違する。
・相違点
　本願発明のリスト情報の未記録領域情報は、「記録媒体における未記録領域のアドレスの番号」により記録可能アドレスを示しているのに対して、引用例記載の発明のＴＯＣ情報（本願発明の「リスト情報」に相当」）の未記録領域情報は、どのような情報により記録単位であるフレーム（本願発明の「アドレス」に相当）を示しているのかが明記されていない点。
　
４．当審の判断
　上記相違点について検討する。
  引用例記載の発明のＴＯＣ情報（本願発明の「リスト情報」に相当」）は、記録済みの領域をアドレス（本願発明の「アドレスの番号」に相当）で示している。そして、未記録領域についても、記録済みの領域と同様に、アドレス（本願発明の「アドレスの番号」に相当）によって記録可能なフレーム（本願発明の「アドレス」に相当）を示すようにすることは、当業者が容易に想起し得たことと認められる。
　したがって、上記相違点は格別のものではない。
　
５．むすび
　以上の理由により、本願発明は、引用例に基づいて当業者が容易に発明をすることができたものと認められるから、特許法第２９条第２項の規定により特許を受けることができない。
　よって、結論のとおり審決する。